(57)【要約】【課題】自動車本体のバッテリからの電力の供給が無くなっても動作でき、装置の各種設定を保持することができる車載用オーディオ装置を提供すること。【解決手段】マイコン１１は、アクセサリスイッチ３１がオフになっていて車載バッテリ３０からの電力供給が無いときは、二次電池１３の電力を使ってデータメモリ１２内のデータの維持や、予め設定された装置各部の限定的な動作を行う。アクセサリスイッチ３１がオンにされ、車載バッテリ３０から電力が供給されると、マイコン１１は、車載バッテリ３０からの電力で通常動作を行い、二次電池１３の電力を使うことをやめる。【選択図】　　　図１
2004042731.tif 000002
【特許請求の範囲】
【請求項１】
装置各部を動作させる電力を供給する二次電池と、車載バッテリからの電力供給の有無を検出する電力検出部と、前記電力検出部が車載バッテリからの電力供給が無くなったことを検出すると前記二次電池からの電力により装置各部を動作させる電源制御部とを備えることを特徴とする車載用オーディオ装置。
【請求項２】
前記二次電池は、充電式電池からなり、前記充電式電池を充電する充電回路を備え、前記充電回路により前記充電式電池を充電することを特徴とする請求項１に記載の車載用オーディオ装置。
【請求項３】
前記車載バッテリの電圧を検出する電圧検出部を設け、前記車載バッテリの電圧が予め設定された値以上のときに前記車載バッテリの電力により前記充電式電池を充電することを特徴とする請求項２に記載の車載用オーディオ装置。
【請求項４】
太陽電池を備え、前記充電回路は前記太陽電池からの電力により前記充電式電池を充電することを特徴とする請求項２または３に記載の車載用オーディオ装置。
【請求項５】
装置の状態を表示するとともに装置に対する各種操作が入力される前面パネルを着脱可能とし、前記前面パネル内に前記二次電池を搭載することを特徴とする請求項１から４のいずれかに記載の車載用オーディオ装置。
【発明の詳細な説明】
【０００１】
【発明の属する技術分野】
本発明は、自動車に搭載されて使用される車載用オーディオ装置に関する。
【０００２】
【従来の技術】
従来、この種の車載用オーディオ装置は、自動車本体のバッテリ（車載バッテリ）から電力を供給されるようになっており、装置内に電源を持っていなかった。
【０００３】
【発明が解決しようとする課題】
このため、このような従来の車載用オーディオ装置では、搭載されている自動車の修理や整備等で車載バッテリとの接続を切断されると、オーディオ装置の設定（ラジオのプリセットチャンネルや音量・音質などの調整）がリセットされてしまうという問題があった。
【０００４】
また、自動車本体のアクセサリースイッチオフ中は、車載バッテリの消費電力を抑えるためオーディオ装置は動作できなかった。
【０００５】
本発明はこのような問題を解決するためになされたもので、自動車本体のバッテリからの電力の供給が無くなっても動作でき、装置の各種設定を保持することができる車載用オーディオ装置を提供するものである。
【０００６】
【課題を解決するための手段】
本発明の車載用オーディオ装置は、装置各部を動作させる電力を供給する二次電池と、車載バッテリからの電力供給の有無を検出する電力検出部と、前記電力検出部が車載バッテリからの電力供給が無くなったことを検出すると前記二次電池からの電力により装置各部を動作させる電源制御部とを備える構成を有している。この構成により、車載バッテリからの電力供給が無くなると二次電池の電力により装置各部が動作することとなる。
【０００７】
ここで、前記二次電池は、充電式電池からなり、前記充電式電池を充電する充電回路を備え、前記充電回路により前記充電式電池を充電することは好ましい。この構成により、充電式電池が充電回路により充電されることとなる。
【０００８】
このとき、前記車載バッテリの電圧を検出する電圧検出部を設け、前記車載バッテリの電圧が予め設定された値以上のときに前記車載バッテリの電力により前記充電式電池を充電することは好ましい。この構成により、車載バッテリの電圧が予め設定された値以上のときのみ充電式電池が充電されることとなる。
【０００９】
また、太陽電池を備え、前記充電回路は前記太陽電池からの電力により前記充電式電池を充電することは好ましい。この構成により、太陽電池の電力により充電式電池が充電されることとなる。
【００１０】
また、装置の状態を表示するとともに装置に対する各種操作が入力される前面パネルを着脱可能とし、前記前面パネル内に前記二次電池を搭載することは好ましい。この構成により、前面パネルとともに二次電池も着脱できることとなる。
【００１１】
【発明の実施の形態】
以下、本発明の実施の形態について、図面を参照して説明する。
【００１２】
図１は本発明の一実施の形態の車載用オーディオ装置の構成を示すブロック図である。
【００１３】
図１に示すように、本実施の形態の車載用オーディオ装置は、装置本体１０に、電力検出部、電源制御部などを含み、装置全体を制御するマイコン１１と、装置各部の駆動条件や管理データ等の各種情報を記憶するとともに動作する上で必要なデータを記憶するデータメモリ１２と、充電式電池からなり車載バッテリ３０から電力が供給されないとき装置各部に電力を供給する二次電池１３と、この二次電池１３を充電する充電回路１４と、車載バッテリ３０の電圧を検出する電圧検出部１５とを備え、スピーカブロック２０に、装置本体１０の充電回路１４に電力を供給する太陽電池２１を備えている。
【００１４】
このような車載用オーディオ装置は、車載バッテリから電力が供給されないときには二次電池１３の電力により動作するようになっている。
【００１５】
具体的には、マイコン１１は、アクセサリスイッチ３１がオフになっていて車載バッテリ３０からの電力供給が無いときは、二次電池１３の電力を使ってデータメモリ１２内のデータの維持や、予め設定された装置各部の限定的な動作（二次電池１３の電力の消費量を抑えた動作）を行う。
【００１６】
二次電池１３は、充電回路１４により充電されるようになっており、充電回路１４は、スピーカブロック２０に取り付けられた太陽電池２１からの電力により二次電池１３の充電を行うようになっている。
【００１７】
アクセサリスイッチ３１がオンにされ、車載バッテリ３０から電力が供給されると、マイコン１１は、車載バッテリ３０からの電力で通常動作を行い、二次電池１３の電力を使うことをやめる。このため、二次電池１３は充電回路１４により充電されるのみとなる。
【００１８】
このとき、マイコン１１は、電圧検出部１５により車載バッテリ３０の電圧を検出し、車載バッテリ３０の電圧が予め設定された電圧以上であれば、充電回路１４を制御して、車載バッテリからの電力も使って二次電池１３の充電を行うようにする。
【００１９】
そして、アクセサリスイッチ３１がオフされると、マイコン１１は、二次電池１３の電力を使って予め設定された限定的な動作を行う。
【００２０】
以上のように、本実施の形態においては、アクセサリスイッチ３１がオフにされ車載バッテリ３０からの電力供給が無くなると、二次電池１３の電力を使ってデータメモリ１２のデータの維持や装置各部の動作を行っているので、車載バッテリ３０との接続を切断しても装置各部の設定を保持することができるとともに、例えば、パソコンとのデータのやり取りやカードデバイスによるデータのやり取りや音楽を再生することができる。
【００２１】
また、車載用オーディオ装置の前面パネルを着脱可能とし、その前面パネル内にマイコン１１やデータメモリ１２や二次電池１３や充電回路１４などを搭載すれば、二次電池１３の交換を容易に行うことができる。
【００２２】
また、太陽電池の電力を、例えば、スピーカに取り付けられたイルミネーションランプのような低消費電力の機器に直接供給するようにすれば、二次電池の電力消費を抑えることができる。
【００２３】
【発明の効果】
以上説明したように、本発明によれば、車載バッテリからの電力供給が無くなると二次電池からの電力により装置各部を動作させることにより、車載バッテリからの電力供給が無くても動作することができ、装置各部の設定を保持することができる。
【図面の簡単な説明】
【図１】本発明の一実施の形態の車載用オーディオ装置を示す概略ブロック図
【符号の説明】
１０　装置本体
１１　マイコン（電力検出部、電源制御部）
１２　データメモリ
１３　二次電池
１４　充電回路
１５　電圧検出部
２０　スピーカブロック
２１　太陽電池
３０　車載バッテリ
３１　アクセサリスイッチ
【図１】
2004042731.tif 000003